(57)【特許請求の範囲】
【請求項１】
開閉手段と、
前記開閉手段に覆われる第１操作手段と、
前記開閉手段に覆われない第２操作手段と、
前記開閉手段の開閉動作を検出する検出スイッチと、
少なくとも前記操作手段の所定の操作の後に前記第２操作手段の操作を無効にするよう制御するロック制御手段と、
前記操作手段を操作することなしに、前記開閉手段の開動作でロックを解除することを特徴とする携帯電話装置。
【請求項２】
開閉手段と、
前記開閉手段に覆われる第１操作手段と、
前記開閉手段に覆われない第２操作手段と、
前記開閉手段の開閉動作を検出する検出スイッチと、
少なくとも前記操作手段の所定の操作と前記開閉手段の閉動作との後に、前記第２操作手段の操作を無効にするよう制御するロック制御手段と、
前記操作手段を操作することなしに、前記開閉手段の開動作でロックを解除することを特徴とする携帯電話装置。
【発明の詳細な説明】
【０００１】
【発明の属する技術分野】
本発明は携帯電話装置に関するものである。
【０００２】
【従来の技術】
無線通信技術の発達により、小型軽量の携帯電話装置が普及し、いつでも、どこでも、誰とでも通話を行えるようになってきた。このような携帯電話装置においては、通常、使用者のポケットや鞄の中に入れて持ち運ばれることが多いが、この際に装置の外部に配置されている操作ボタンが操作されてしまうという問題があった。たとえば、鞄の中に入れて持ち運んでいる時に、通話を指示する操作ボタンが誤って押された場合、オフフック状態となり、着信が行われない事も考えられる。また、１つの操作ボタンの操作で、あらかじめ登録された相手に電話をかける、いわゆるワンタッチダイヤルと呼ばれる操作ボタンが誤操作された場合、使用者が知らないうちに電話がかかり、無駄な通話料を使ってしまうという問題や、相手に迷惑をかけると言う問題も考えられる。
【０００３】
このため、使用者が任意に操作ボタンのロックと解除を行えるようにし、操作ボタンをロックしたときは、ロック解除の操作がなされるまで、操作ボタンが押下されても無効となるよう構成された電話装置が提案されている。たとえば特開平５−２３６０７０号公報（Ｈ０４Ｍ１／００）には、ボタン操作の内容を解析するとともに、ボタン操作の内容がボタンロックであった場合には、電話装置の操作ボタンを無効に設定し、ロック解除のボタン操作がなされるまで、このロック状態を保持するよう構成された電話装置が記載されている。
【０００４】
しかしながらこの従来技術においては、ロック解除のために特殊な操作を必要とし、操作が煩雑であるという問題点があった。たとえば、操作ボタンのロックを設定しているときに着信があった場合、速やかな着信動作が行えない。
【０００５】
【課題を解決するための手段】
本発明はこのような従来技術の問題点を改善するものであり、開閉手段と、前記開閉手段に覆われる第１操作手段と、前記開閉手段に覆われない第２操作手段と、前記開閉手段の開閉動作を検出する検出スイッチと、少なくとも前記操作手段の所定の操作の後に前記第２操作手段の操作を無効にするよう制御するロック制御手段と、前記操作手段を操作することなしに、前記開閉手段の開動作でロックを解除することを特徴とするものである。
【０００６】
【発明の実施の形態】
以下図面に従って、本発明による携帯電話装置の実施例を説明する。図１は本発明による携帯電話装置の外観を示す図であり、２は携帯電話装置本体１に開閉自在に設けられるとともに、閉成時にはテンキー３や、各種機能操作ボタン４をカバーする開閉蓋、５は発呼時や着呼時にフック制御の指示を行なう通話キー、６は通話の終了を指示する切断キー、７は種々の情報を表示するディスプレイ、８は受話スピーカ、９は送話マイク、１０はアンテナである。
【０００７】
１１は開閉蓋２の開閉動作を検出するための検出スイッチであり、開閉蓋２が閉じられたときに、開閉蓋２に一体的に設けられた突起２ａがこの検出スイッチ１１を押下することにより閉成動作が検出される。
【０００８】
また、図２に示すように開閉蓋２を閉じたときには、通話キー５および切断キー６を残して、テンキー３および各種機能操作ボタン４が開閉蓋２に覆われる。通常はこのように開閉蓋２を閉じた状態で、ポケットや鞄の中に入れて持ち運ばれる。そして第３者から電話がかかってきた場合、通話キー５を押下する事によって着信処理が行われ、通話を行うことができる。また、電話をかけるときには、図１に示したように開閉蓋２を開き、テンキー３によってダイヤルした後、通話キー５を操作する。
【０００９】
図３は本発明による携帯電話装置を示すブロック図である。図において、１２はアンテナ１によって受信された無線信号を復調し、また送信時には送信信号を変調する無線部、１３は時分割多重を行うＴＤＭＡ処理回路、１４はデジタル信号の処理を行うデジタル信号処理回路、１５はＡ／ＤおよびＤ／Ａコンバータ、１６は携帯電話装置全体の制御を行う制御回路、１７は後述のフローチャートに従って動作するロック制御回路である。
【００１０】
電話をかけるときには、通話釦５を操作した後、テンキー３にて相手の電話番号をダイヤルすることにより、基地局を介して回線が形成され、通話状態となる。一方、待ち受け状態で自局への着呼が検出されると、リンガーにより報知され、使用者の通話釦５の操作により着信処理が行われ、通話が開始される。なお、４は各種機能を行うための機能キーである。
【００１１】
次に、本発明による携帯電話装置のキーロック動作を、図４に示すフローチャートに従って説明する。本発明による携帯電話装置では、開閉蓋２によって覆われるテンキー３、もしくは機能キー４のいずれか１つを操作した後、所定時間以内に開閉蓋２を閉じることにより、開閉蓋２に覆われない通話キー５および切断キー６のキーロックが行われる。また、これら通話キー５および切断キー６のキーロックの解除は、開閉蓋２の開成動作によって行われる。すなわち、図４に示したフローチャートで、まずステップ１で機能キー４の操作が判断された後、ステップ２で開閉蓋２の閉成動作が、検出スイッチ１１にて検出されると、これが制御回路１６に伝えられる。制御回路１６はロック制御回路１７を制御し、この結果、ステップ３で開閉蓋２覆われない通話キー５および切断キー６がロックされ、これらの操作ボタンの操作は無効となる。従って、この状態で携帯電話装置をポケットや鞄の中に入れて持ち運んでも、開閉蓋２によって覆われていない通話ボタン５が何かの拍子に押されても、オフフックになるという誤動作が未然に防止される。
【００１２】
また、ステップ４で開閉蓋２の開成動作が検出スイッチ１１によって検出されると、制御回路１６およびロック制御回路１７の動作により、ステップ５で通話キー５および切断キー６のロックが解除される。従って通常の発呼動作を行うことができる。
【００１３】
一方、ステップ１で機能キー４の操作が検出された後、所定時間（たとえば１０秒）の間、開閉蓋２の閉成動作が確認されない場合（ステップ６）、その後に開閉蓋２を閉じても上述のキーロックは行われない。
【００１４】
なお、キーロック中に自局への呼び出しが検出されると、リンガーを鳴らして使用者にその旨報知するとともに、その後開閉蓋２の開成を検出すると、キーロックを解除するとともにその後の使用者の通話キー５の操作によって、着信処理を行う。
【００１５】
あるいは、リンガーが鳴っている間に、開閉蓋２を開成することにより、もしくは、リンガーが鳴っている間に、通話キー５を操作することにより、自動的に着信処理を行うようにしてもよい。
【００１６】
【発明の効果】
以上説明したように本発明による携帯電話装置は、開閉蓋を開くことによりキーロックを解除できるので、使用者が意図して操作するときに、わざわざ、キーロックを解除する操作をすることなく、所望の処理が行うことができる。例えば、着信時にも速やかに通話を開始することができる。
【図面の簡単な説明】
【図１】本発明による携帯電話装置の開閉蓋を開いた状態を示す図である。
【図２】本発明による携帯電話装置の開閉蓋を閉じた状態を示すブロック図である。
【図３】本発明による携帯電話装置を示すブロック図である。
【図４】本発明による携帯電話装置の動作を示すフローチャートである。
【符号の説明】
１    装置本体
２   開閉蓋
３    テンキー
４    機能操作ボタン（機能キー）
５    通話キー
６    切断キー
１１    検出スイッチ
１６    制御回路
１７    ロック制御回路
【図１】
0003568494.tif 000002
【図２】
0003568494.tif 000003
【図３】
0003568494.tif 000004
【図４】
0003568494.tif 000005